Podtech/llm-jp-corpus-v4-ja_patent huggingface dataset:
【手続補正書】
【提出日】令和2年4月13日(2020.4.13)
【手続補正１】
【補正対象書類名】特許請求の範囲
【補正対象項目名】全文
【補正方法】変更
【補正の内容】
【特許請求の範囲】
【請求項１】
遊技球が入球可能な入球口と、
前記入球口に遊技球が入球した場合に賞球を付与する賞球付与手段と、
前記入球口への遊技球の入球を容易にする特典を付与する特典付与手段と、
取得条件が成立したことを契機として特別情報を取得する情報取得手段と、
取得された前記特別情報を記憶する取得情報記憶手段と、
前記取得情報記憶手段が記憶した前記特別情報が所定の条件を満たすか否かを判定する判定手段と、
前記判定手段による前記判定の結果を報知する遊技回用動作を開始してから前記遊技回用動作が終了するまでを遊技回の１回とした場合に、前記遊技回を実行する遊技回実行手段と、
前記遊技回実行手段によって実行される遊技回に対応する前記特別情報が前記所定の条件を満たす場合に、予め定められた複数の種別の前記特典のうち、遊技者に付与する一の種別の特典を決定する種別決定手段と、
前記種別決定手段によって決定された前記一の種別の特典に関する情報を識別可能に表示する特典種別表示手段と、
演出を実行する演出実行手段と、
を備える遊技機であって、
前記特典付与手段は、
遊技回に対応する特別情報が前記所定の条件を満たさない場合であって予め定められた特定の条件を満たすと前記判定手段が判定した第１の場合に、遊技球が特定の領域を通過したことを契機として、当該遊技回の終了後に、前記特典を付与する手段と、
遊技回に対応する特別情報が前記所定の条件を満たすと前記判定手段が判定した第２の場合に、当該遊技回の終了後に、前記特典を付与する手段と、
を備え、
前記演出実行手段は、
前記第１の場合であって、遊技球が前記特定の領域を通過した場合に、遊技球が特定の領域を通過したことを示唆する演出を実行する手段と、
前記第２の場合であって、遊技球が前記特定の領域を通過した場合に、遊技球が特定の領域を通過したことを示唆する演出を実行する手段と、
を備え、
前記種別決定手段は、
前記特別情報が前記所定の条件を満たす遊技回の終了後に、遊技者に付与する前記一の種別の特典を決定する手段を備える
ことを特徴とする遊技機。
【手続補正２】
【補正対象書類名】明細書
【補正対象項目名】０００７
【補正方法】変更
【補正の内容】
【０００７】
［形態］
遊技球が入球可能な入球口と、
前記入球口に遊技球が入球した場合に賞球を付与する賞球付与手段と、
前記入球口への遊技球の入球を容易にする特典を付与する特典付与手段と、
取得条件が成立したことを契機として特別情報を取得する情報取得手段と、
取得された前記特別情報を記憶する取得情報記憶手段と、
前記取得情報記憶手段が記憶した前記特別情報が所定の条件を満たすか否かを判定する判定手段と、
前記判定手段による前記判定の結果を報知する遊技回用動作を開始してから前記遊技回用動作が終了するまでを遊技回の１回とした場合に、前記遊技回を実行する遊技回実行手段と、
前記遊技回実行手段によって実行される遊技回に対応する前記特別情報が前記所定の条件を満たす場合に、予め定められた複数の種別の前記特典のうち、遊技者に付与する一の種別の特典を決定する種別決定手段と、
前記種別決定手段によって決定された前記一の種別の特典に関する情報を識別可能に表示する特典種別表示手段と、
演出を実行する演出実行手段と、
を備える遊技機であって、
前記特典付与手段は、
遊技回に対応する特別情報が前記所定の条件を満たさない場合であって予め定められた特定の条件を満たすと前記判定手段が判定した第１の場合に、遊技球が特定の領域を通過したことを契機として、当該遊技回の終了後に、前記特典を付与する手段と、
遊技回に対応する特別情報が前記所定の条件を満たすと前記判定手段が判定した第２の場合に、当該遊技回の終了後に、前記特典を付与する手段と、
を備え、
前記演出実行手段は、
前記第１の場合であって、遊技球が前記特定の領域を通過した場合に、遊技球が特定の領域を通過したことを示唆する演出を実行する手段と、
前記第２の場合であって、遊技球が前記特定の領域を通過した場合に、遊技球が特定の領域を通過したことを示唆する演出を実行する手段と、
を備え、
前記種別決定手段は、
前記特別情報が前記所定の条件を満たす遊技回の終了後に、遊技者に付与する前記一の種別の特典を決定する手段を備える
ことを特徴とする遊技機。
【手続補正書】
【提出日】令和1年12月19日(2019.12.19)
【手続補正１】
【補正対象書類名】特許請求の範囲
【補正対象項目名】全文
【補正方法】変更
【補正の内容】
【特許請求の範囲】
【請求項１】
臨床動作モードにおける動作に先立って、タッチスクリーンのグラフィカルユーザインターフェースを構成する方法であって、前記方法は、
第１の信号に応答して、前記タッチスクリーンによって表示されるグラフィカルユーザインターフェースのタブ付き表示ページに関連付けられたセンサモジュール構成メニューインターフェースを表示するステップと、
第２の信号に応答して、前記タブ付き表示ページに関連付けられたセンサモジュール構成メニューインターフェースに関連付けられたセンサモジュールのための少なくとも１つのアラーム限界を設定するステップと
を含む、方法。
【請求項２】
前記第１の信号は、前記タブ付き表示ページのセンサモジュールのタッチまたは圧力起動可能モジュール設定メニューボタンの起動の結果として生成される、請求項１に記載の方法。
【請求項３】
前記第２の信号は、前記タブ付き表示ページの前記センサモジュール構成メニューインターフェースのタッチまたは圧力起動可能ボタンの起動の結果として生成される、請求項２に記載の方法。
【請求項４】
第３の信号に応答して、ポンプ機能の前記タブ付き表示ページの前記センサモジュールとの選択的関連付けを可能にするために、前記タブ付き表示ページの前記センサモジュール構成メニューインターフェースの一部上にポンプ関連付けメニューインターフェースをオーバーレイするステップをさらに含む、請求項１に記載の方法。
【請求項５】
前記方法は、
第３の信号に応答して、前記タッチスクリーンによって表示される前記グラフィカルユーザインターフェースのタブなし表示ページの一部上にセンサモジュール構成メニューインターフェースを表示するステップと、
第４の信号に応答して、前記タブなし表示ページに関連付けられた前記センサモジュール構成メニューインターフェースに関連付けられたセンサモジュールのための少なくとも１つのアラーム限界を設定するステップと
をさらに含む、請求項１に記載の方法。
【請求項６】
前記第３の信号は、前記タブなし表示ページの前記センサモジュールのタッチまたは圧力起動可能モジュール設定メニューボタンの起動の結果として生成される、請求項５に記載の方法。
【請求項７】
前記第４の信号は、前記タブなし表示ページの前記センサモジュール構成メニューインターフェースのタッチまたは圧力起動可能ボタンの起動の結果として生成される、請求項６に記載の方法。
【請求項８】
第５の信号に応答して、ポンプ機能の前記タブなし表示ページの前記センサモジュールとの選択的関連付けを可能にするために、前記タブなし表示ページの前記センサモジュール構成メニューインターフェースの一部上にポンプ関連付けメニューインターフェースをオーバーレイするステップをさらに含む、請求項５に記載の方法。
【請求項９】
前記センサモジュール構成メニューインターフェースに関連付けられた前記センサモジュールは、圧力センサモジュール構成メニューインターフェースに関連付けられた圧力センサモジュール、または気泡検出センサモジュール構成メニューインターフェースに関連付けられた気泡検出センサモジュール、またはレベルセンサモジュール構成メニューインターフェースに関連付けられたレベルセンサモジュール、または温度センサモジュール構成メニューインターフェースに関連付けられた温度センサモジュール、または流量センサモジュール構成メニューインターフェースに関連付けられた流量センサモジュール、もしくは圧力デルタセンサモジュール構成メニューインターフェースに関連付けられた圧力デルタセンサモジュールである、請求項１に記載の方法。
【請求項１０】
対応するセンサモジュール構成メニューインターフェースに関連付けられた各センサモジュールは、圧力センサモジュール構成メニューインターフェースに関連付けられた圧力センサモジュール、気泡検出センサモジュール構成メニューインターフェースに関連付けられた気泡検出センサモジュール、レベルモジュール構成メニューインターフェースに関連付けられたレベルセンサモジュール、温度センサモジュール構成メニューインターフェースに関連付けられた温度センサモジュール、流量センサモジュール構成メニューインターフェースに関連付けられた流量センサモジュール、および圧力デルタセンサモジュール構成メニューインターフェースに関連付けられた圧力デルタセンサモジュールから成る群から独立して選択される、請求項５に記載の方法。
【請求項１１】
事前定義されたグラフィカルユーザインターフェース構成を選択すること、輝度およびアラーム音量から成る群から選択される少なくとも１つの選択可能アラーム設定を構成すること、または外部デバイスメニューを表示することを行うためのシステム構成メニューインターフェースを起動するステップをさらに含む、請求項１に記載の方法。
【請求項１２】
前記タブ付き表示ページの前記センサモジュールの前記少なくとも１つのアラーム限界を受け入れ、イネーブルにするように、前記タブ付き表示ページの前記センサモジュール構成メニューインターフェースを閉じるステップをさらに含む、請求項１に記載の方法。
【請求項１３】
前記タブなし表示ページの前記センサモジュールの前記少なくとも１つのアラーム限界を受け入れ、イネーブルにするために、前記タブなし表示ページの前記センサモジュール構成メニューインターフェースを閉じるステップをさらに含む、請求項５に記載の方法。
【請求項１４】
前記タブ付き表示ページの前記センサモジュールの前記少なくとも１つのアラーム限界を受け入れ、イネーブルにするために、前記タブ付き表示ページの前記センサモジュール構成メニューインターフェースを閉じるステップをさらに含む、請求項１３に記載の方法。
【手続補正書】
【提出日】令和2年3月9日(2020.3.9)
【手続補正１】
【補正対象書類名】特許請求の範囲
【補正対象項目名】全文
【補正方法】変更
【補正の内容】
【特許請求の範囲】
【請求項１】
患者の腸の通路に関連した不具合を有する患者を治療する装置であって、前記装置は、腸の内容物を前記腸の通路を通してポンプ輸送するために、前記患者の腸の少なくとも一つの選択された部分において操作可能な前記患者の体内に埋め込まれるポンプを有し、
前記ポンプは、狭さくと解放を交互に前記患者の腸の選択された部分に対しておこない、前記選択された部分に沿って前記患者の腸の通路の容量を減らし、前記選択された部分を解放することにより、前記選択された部分に沿って前記患者の腸の通路の容量を増加させる狭さくデバイスを含み、これによって前記腸の内容物を前記腸の通路を通して偏位させ、
前記治療装置は、前記患者の身体パラメータまたは前記装置の機能的パラメータを直接または間接的に検知するように構成された移植可能なセンサと、
を備えることを特徴とする治療装置。
【請求項２】
しきい値を上回っている値を検出している前記センサに応答して表示を出すように構成された制御デバイスを備えることを特徴とする請求項１に治療装置。
【請求項３】
前記身体パラメータは、少なくとも１つの腸の選択された部分の腸の内容物の容量、腸壁の膨張、または前記腸の選択された部分の圧力であることを特徴とする請求項１または２に記載の治療装置。
【請求項４】
前記表示は、少なくとも１つのアラーム、音声信号または表示情報であることを特徴とする請求項１〜３のいずれか１項に記載の治療装置。
【請求項５】
前記制御デバイスは、前記選択された部分を交互に狭さくおよび解放させるように、前記狭さくデバイスを動作させる前記ポンプを制御することをユーザが可能になるよう更に適合され、腸の内容物が腸の通路を通して移動させられる、請求項１〜４のいずれか１項に記載の治療装置
【請求項６】
前記制御デバイスは無線リモート・コントロールおよび手動操作可能なスイッチのうち少なくとも１つを有し、前記スイッチは、前記患者の皮下に移植可能で、前記ポンプを始動および停止することができるように構成され、前記制御デバイスは前記患者により操作可能であることを特徴とする請求項５に記載の治療装置。
【請求項７】
前記患者の腸は、人工のろう孔（ストマ）および前記患者の肛門の少なくとも１つで終わるように外科的に修正され、前記ポンプは前記ろう孔または肛門から前記患者の体内の腸内容物を排出するように構成されることを特徴とする請求項１〜６のいずれか１項に記載の治療装置。
【請求項８】
前記ポンプに取付けられ、前記ポンプを患者の腹腔の組織に係合する係合デバイスをさらに備える、請求項１〜７のいずれか１項に記載の治療装置。
【請求項９】
前記狭さくデバイスが前記選択された部分を狭さくする際に、前記選択された部分を支持する埋込み可能な支持部をさらに備える、請求項１〜８のいずれか１項に記載の治療装置。
【請求項１０】
前記狭さくデバイスは、患者の体の組織または骨に対して、前記選択された部分を狭さくするのに適する請求項１〜８のいずれか１項に記載の治療装置。
【請求項１１】
前記腸の選択された部分の筋肉または神経組織を電気的に刺激して、前記選択された部分を少なくとも部分的に収縮させる刺激デバイスをさらに備え、前記刺激デバイスは、電気パルスによって腸組織の前記選択された部分の筋肉または神経組織を刺激するように構成された少なくとも１つの電極を有するとともに、前記刺激デバイスを制御するための制御デバイスをさらに備えることを特徴とする請求項１乃至１０のいずれか１項に記載の治療装置。
【請求項１２】
前記刺激デバイスは、狭さくデバイスから分離されるかあるいは狭さくデバイスと一体化された複数の電極を有し、前記制御デバイスは前記腸の選択された部分に沿って電極を可変的に通電することにより、前記選択された部分を部分的に収縮させ、前記選択された部分上の電極は複数の電極の中から選択されることを特徴とする請求項１１に記載の治療装置。
【請求項１３】
前記制御デバイスは前記刺激デバイスを制御することによって、いくつかの電極または複数群の電極を前記腸の上流側方向または下流側方向に徐々に通電するように前記電極に電気を印加することを特徴とする請求項１２に記載の治療装置。
【請求項１４】
前記制御デバイスは、前記刺激デバイスを制御することによって、前記複数の電極を順次１つずつ通電する、あるいは複数群の電極を順次通電する、もしくは所定のパターンに従って無作為に通電することを特徴とする請求項１２に記載の治療装置。
【請求項１５】
前記狭さくデバイスは、前記選択された部分を狭さく、解放するための少なくとも１つの狭さく素子を備え、前記制御デバイスは、前記選択部分を交互に狭さく、解放するように前記狭さく素子を制御する請求項１から１４のいずれか１項に記載の治療装置。
【請求項１６】
前記選択された部分の少なくとも部分的な収縮を引き起こすために、前記選択された部分の筋肉または神経組織を電気的に刺激するための刺激デバイスをさらに備え、前記狭さく素子は延長され、前記制御デバイスが、延長された前記狭さく素子が狭さくする前記選択された部分を連続して刺激するように、前記刺激デバイスを制御し、前記狭さく素子によって狭さくされた前記選択された部分は漸進的に収縮され、腸の内容物が腸の通路内を蠕動運動的に移動させられる、請求項１５に記載の治療装置。
【手続補正書】
【提出日】令和2年2月4日(2020.2.4)
【手続補正１】
【補正対象書類名】特許請求の範囲
【補正対象項目名】全文
【補正方法】変更
【補正の内容】
【特許請求の範囲】
【請求項１】
可変表示を行い有利状態に制御可能な遊技機であって、
可変表示が実行されてから仮停止した後に再可変表示を行い表示結果を表示する再可変表示実行手段と、
有利度に応じて表示態様を段階的に変化可能な特定表示を行う特定表示手段と、
共通の導入演出を行った後に成功演出または失敗演出のいずれかを行う特別演出を実行可能な特別演出実行手段と、を備え、
前記特定表示手段は、複数のタイミングにおいて特定表示の表示態様を変化可能であり、特定表示の表示態様が変化することに応じて前記有利状態に制御される割合が高くなり、
前記特別演出実行手段は、
前記再可変表示を行う可変表示中に前記特別演出を実行可能であり、
特定表示の表示態様が前記有利状態に制御される割合が高い表示態様に変化することの報知を行った後の所定期間において前記特別演出を実行する場合は、前記失敗演出が行われる前記特別演出は実行せず、前記成功演出が行われる前記特別演出は実行可能である、
ことを特徴とする遊技機。
【手続補正２】
【補正対象書類名】明細書
【補正対象項目名】０００７
【補正方法】変更
【補正の内容】
【０００７】
（１）上記目的を達成するため、本発明に係る遊技機は、
可変表示を行い有利状態に制御可能な遊技機（例えばパチンコ遊技機１など）であって、
可変表示が実行されてから仮停止した後に再可変表示(擬似連)を行い表示結果を表示する再可変表示実行手段と、
有利度に応じて表示態様を段階的に変化可能な特定表示を行う特定表示手段（例えば特定表示演出を行う演出制御用ＣＰＵ１２０など）と、
共通の導入演出を行った後に成功演出または失敗演出のいずれかを行う特別演出を実行可能な特別演出実行手段（例えば擬似連煽り演出を実行する演出制御用ＣＰＵ１２０など）と、を備え、
前記特定表示手段は、複数のタイミングにおいて特定表示の表示態様を変化可能であり、特定表示の表示態様が変化することに応じて前記有利状態に制御される割合が高くなり（例えば「タイミング１」〜「タイミング３」のいずれか、または複数のタイミングで特定表示演出を実行可能であるなど）、
前記特別演出実行手段は、
前記再可変表示を行う可変表示中に前記特別演出を実行可能であり、
特定表示の表示態様が前記有利状態に制御される割合が高い表示態様に変化することの報知を行った後の所定期間において前記特別演出を実行する場合は、前記失敗演出が行われる前記特別演出は実行せず、前記成功演出が行われる前記特別演出は実行可能である（例えば、失敗演出の実行期間と特定表示演出の実行期間とが重畳しないタイミングを特定表示演出の実行タイミングとして決定するなど）、
ことを特徴とする。
【誤訳訂正書】
【提出日】令和2年9月25日(2020.9.25)
【誤訳訂正１】
【訂正対象書類名】特許請求の範囲
【訂正対象項目名】全文
【訂正方法】変更
【訂正の内容】
【特許請求の範囲】
【請求項１】
ａ．ＡＥＩ構造を有し、２０から３０のシリカ対アルミナのモル比を有し、０．１から１５μｍの平均結晶サイズを有し、ハロゲンを含まないアルミノシリケートモレキュラーシーブ、モレキュラーシーブ材料の全重量に基づいて１から５重量パーセントの助触媒金属、並びにアルミナ、シリカ、非ゼオライトのシリカアルミナ、チタニア、ジルコニア、及びセリアから選択される成分を含む結合剤を含む、触媒組成物、並びに
ｂ．触媒組成物が、その上及び／又はその中に配置されているパーティキュレートフィルター
を含む、排気ガスを処理するための触媒物品。
【請求項２】
結合剤がアルミナを含む、請求項１に記載の触媒物品。
【請求項３】
助触媒金属が銅及び鉄から選択される、請求項２に記載の触媒物品。
【請求項４】
アルミナがガンマアルミナ及び／又はシータアルミナである、請求項２に記載の触媒物品。
【請求項５】
結合剤がアルミナからなる、請求項２に記載の触媒物品。
【請求項６】
フィルターがウォールフロー型フィルターである、請求項２に記載の触媒物品。
【請求項７】
触媒組成物がフィルター上又はフィルター内のコーティングである、請求項６に記載の触媒物品。
【請求項８】
コーティングが、フィルター上の表面コーティング、フィルターの表面に浸透するコーティング、又はそれらの組み合わせを含む、請求項７に記載の触媒物品。
【請求項９】
コーティングがフィルター上の表面コーティングを含む、請求項８に記載の触媒物品。
【請求項１０】
コーティングがフィルターの入口側にある、請求項９に記載の触媒物品。
【請求項１１】
フィルターが、フィルターの出口側に配置されたアンモニア酸化触媒を更に含む、請求項１０に記載の触媒物品。
【請求項１２】
フィルターが４０から７５％の空隙率を有する、請求項２に記載の触媒物品。
【請求項１３】
フィルターが少なくとも７０％の効率を有する、請求項２に記載の触媒物品。
【請求項１４】
フィルターが少なくとも３０％の細孔の相互接続容量を有する、請求項２に記載の触媒物品。
【請求項１５】
フィルターが１０から４０μｍの平均孔径を有する、請求項２に記載の触媒物品。
【請求項１６】
触媒がウォッシュコートであり、ウォッシュコートが９２０００から１５００００ｇ／ｍ３の濃度でフィルター上に存在する、請求項２に記載の触媒物品。
【請求項１７】
ＡＥＩ骨格を有する前記モレキュラーシーブが、０．１から１０μｍの平均結晶サイズを有する、請求項１に記載の触媒物品。
【請求項１８】
前記平均結晶サイズが、０．５から５μｍである、請求項１７に記載の触媒物品。
【誤訳訂正２】
【訂正対象書類名】明細書
【訂正対象項目名】００３８
【訂正方法】変更
【訂正の内容】
【００３８】
ウォッシュコートは、また、アルミナ、シリカ、非ゼオライトのシリカアルミナ、チタニア、ジルコニア、セリアのうちの一又は複数を含んだ、充填剤、結合剤、安定剤、レオロジー重合調整剤、及び他の添加物等の非触媒成分を含み得る。特定の実施態様では、触媒成分は、グラファイト、セルロース、デンプン、ポリアクリル酸塩、及びポリエチレン等の細孔形成剤を含み得る。これらの付加的な成分は、必ずしも望ましい反応を触媒しないが、代わりに、例えば、その作動温度範囲を増大すること、触媒の接触表面領域を増大すること、基材に対する触媒の付着性を増大すること等によって、触媒材料の効率を改良する。好適な実施態様では、ウォッシュコートローディングは、０．３ｇ／ｉｎ３より大きく、例えば、１．２ｇ／ｉｎ３より大きく、１．５ｇ／ｉｎ３より大きく、１．７ｇ／ｉｎ３より大きく、又は２．００ｇ／ｉｎ３より大きく、かつ好ましくは、３．５ｇ／ｉｎ３より小さく、例えば、２．５ｇ／ｉｎ３より小さい。特定の実施態様では、ウォッシュコートは、約０．８から１．０ｇ／ｉｎ３、１．０から１．５ｇ／ｉｎ３、又は１．５から２．５ｇ／ｉｎ３の担持で、基材に塗布される。
【手続補正書】
【提出日】令和2年1月9日(2020.1.9)
【手続補正１】
【補正対象書類名】特許請求の範囲
【補正対象項目名】全文
【補正方法】変更
【補正の内容】
【特許請求の範囲】
【請求項１】
樹脂からなる基材の一方の面上に熱膨張性材料を含む熱膨張層が設けられた樹脂成形シートであって、
前記熱膨張層の破断強度は、前記熱膨張層の前記基材からの剥離強度と比較して高くされ、前記熱膨張層は前記基材から剥離可能である、
ことを特徴とする樹脂成形シート。
【請求項２】
前記熱膨張層の破断強度は、前記熱膨張層の前記基材からの剥離強度の２倍以上である、
ことを特徴とする請求項１に記載の樹脂成形シート。
【請求項３】
前記基材は熱可塑性樹脂からなり、前記熱膨張層に含有されるバインダは熱可塑性エラストマーである、
ことを特徴とする請求項１又は２に記載の樹脂成形シート。
【請求項４】
樹脂からなる基材の一方の面上に熱膨張性材料を含む熱膨張層が設けられた樹脂成形シートであって、
前記基材と前記熱膨張層との間に設けられた中間層を更に備え、
前記中間層と前記基材との間の剥離強度は、前記熱膨張層と前記中間層との間の剥離強度より低くされ、前記中間層と前記熱膨張層とは前記基材から剥離可能である、
ことを特徴とする樹脂成形シート。
【請求項５】
前記中間層は、樹脂フィルムの一方の面に粘着剤が設けられた粘着フィルムである、
ことを特徴とする請求項４に記載の樹脂成形シート。
【請求項６】
前記粘着剤の粘着力は０．０６Ｎ／２０ｍｍ以上である、
ことを特徴とする請求項５に記載の樹脂成形シート。
【請求項７】
樹脂からなる基材の一方の面上に熱膨張性材料を含む熱膨張層を形成する工程を備え、
前記熱膨張層の破断強度を、前記熱膨張層の前記基材からの剥離強度と比較して高くすることで、前記熱膨張層を前記基材から剥離可能とする、
ことを特徴とする樹脂成形シートの製造方法。
【請求項８】
樹脂からなる基材の一方の面上に中間層を形成する工程と、
前記中間層上に熱膨張性材料を含む熱膨張層を形成する工程と、を備え、
前記中間層と前記基材との間の剥離強度を、前記熱膨張層と前記中間層との間の剥離強度より低くすることで、前記中間層と前記熱膨張層とを前記基材から剥離可能とする、
ことを特徴とする樹脂成形シートの製造方法。
【請求項９】
基材の一方の面上に熱膨張性材料を含む熱膨張層が形成された樹脂成形シートを用いた造形物の製造方法であって、
前記熱膨張層の破断強度は、前記熱膨張層の前記基材からの剥離強度と比較して高くさており、前記熱膨張層は、前記基材から剥離可能であり、
前記熱膨張層と前記基材との少なくともいずれか一方の上に電磁波を熱に変換する熱変換層を形成する工程と、
前記熱変換層に電磁波を照射し、前記熱膨張層を膨張させ、前記基材を前記熱膨張層の膨張に追従して変形させる工程と、
前記熱膨張層を前記基材から剥離する工程と、を備える
ことを特徴とする造形物の製造方法。
【請求項１０】
前記基材は、前記熱膨張層の膨張に伴い変形可能であり、
前記基材が変形した際の前記基材の高さの変形量は、前記熱膨張層が膨張した際の当該熱膨張層の膨張高さと比較して大きい、
ことを特徴とする請求項９に記載の造形物の製造方法。
【請求項１１】
前記変形量は、前記基材の非変形領域の表面と前記基材が変形した領域の表面との高さの差であり、
前記熱膨張層の膨張高さは、前記熱膨張層の膨張後の高さから前記熱膨張層の膨張前の高さを引いた高さである、
ことを特徴とする請求項１０に記載の造形物の製造方法。
【請求項１２】
基材の一方の面上に熱膨張性材料を含む熱膨張層が形成された樹脂成形シートを用いた造形物の製造方法であって、
前記熱膨張層と前記基材との間には中間層が設けられており、前記中間層と前記基材との間の剥離強度は、前記熱膨張層と前記中間層との間の剥離強度より低くされることで、前記中間層と前記熱膨張層とは前記基材から剥離可能であり、
前記熱膨張層と前記基材との少なくともいずれか一方の上に電磁波を熱に変換する熱変換層を形成する工程と、
前記熱変換層に電磁波を照射し、前記熱膨張層を膨張させ、前記基材を前記熱膨張層の膨張に追従して変形させる工程と、
前記熱膨張層を前記基材から剥離する工程と、を備える
ことを特徴とする造形物の製造方法。
【手続補正２】
【補正対象書類名】明細書
【補正対象項目名】０００８
【補正方法】変更
【補正の内容】
【０００８】
本発明の第２の観点に係る樹脂成形シートは、
樹脂からなる基材の一方の面上に熱膨張性材料を含む熱膨張層が設けられた樹脂成形シートであって、
前記基材と前記熱膨張層との間に設けられた中間層を更に備え、
前記中間層と前記基材との間の剥離強度は、前記熱膨張層と前記中間層との間の剥離強度より低くされ、前記中間層と前記熱膨張層とは前記基材から剥離可能である、
ことを特徴とする。
【手続補正３】
【補正対象書類名】明細書
【補正対象項目名】００１０
【補正方法】変更
【補正の内容】
【００１０】
本発明の第４の観点に係る樹脂成形シートの製造方法は、
樹脂からなる基材の一方の面上に中間層を形成する工程と、
前記中間層上に熱膨張性材料を含む熱膨張層を形成する工程と、を備え、
前記中間層と前記基材との間の剥離強度を、前記熱膨張層と前記中間層との間の剥離強度より低くすることで、前記中間層と前記熱膨張層とを前記基材から剥離可能とする、
ことを特徴とする。
【手続補正４】
【補正対象書類名】明細書
【補正対象項目名】００１２
【補正方法】変更
【補正の内容】
【００１２】
本発明の第６の観点に係る造形物の製造方法は、
基材の一方の面上に熱膨張性材料を含む熱膨張層が形成された樹脂成形シートを用いた造形物の製造方法であって、
前記熱膨張層と前記基材との間には中間層が設けられており、前記中間層と前記基材との間の剥離強度は、前記熱膨張層と前記中間層との間の剥離強度より低くされることで、前記中間層と前記熱膨張層とは前記基材から剥離可能であり、
前記熱膨張層と前記基材との少なくともいずれか一方の上に電磁波を熱に変換する熱変換層を形成する工程と、
前記熱変換層に電磁波を照射し、前記熱膨張層を膨張させ、前記基材を前記熱膨張層の膨張に追従して変形させる工程と、
前記熱膨張層を前記基材から剥離する工程と、を備える
ことを特徴とする。
【手続補正書】
【提出日】令和2年7月30日(2020.7.30)
【手続補正１】
【補正対象書類名】明細書
【補正対象項目名】００１６
【補正方法】変更
【補正の内容】
【００１６】
また、以下の説明では、印刷装置２として、版装置２０を用いる例を説明する。版装置２０は、版を用いた印刷（スクリーン印刷）を行う。印刷システム１００がインク吐出装置１と版装置２０を含む場合、印刷システム１００は、版による印刷と、インクジェットによる印刷の両方を行える複合型の印刷システム１００となる。ただし、印刷装置２は版装置２０に限られない。印刷装置２は、版を用いないで印刷するものでもよい。印刷装置２は、インクを用いて印刷するインク印刷装置でもよい。また、印刷装置２は、トナーを用いて印刷するトナー印刷装置でもよい。記録媒体７に印刷できる装置を印刷装置２として用いることができる。
【手続補正書】
【提出日】令和1年11月14日(2019.11.14)
【手続補正１】
【補正対象書類名】特許請求の範囲
【補正対象項目名】全文
【補正方法】変更
【補正の内容】
【特許請求の範囲】
【請求項１】
ワイヤ電極を搬送経路に沿って搬送するとともに、予め定められた加工条件で、前記ワイヤ電極と加工対象物との間に形成される極間に電圧を印加し放電を発生させて前記加工対象物に放電加工を行うワイヤ放電加工機であって、
前記ワイヤ電極の断線を検出する断線検出部と、
前記ワイヤ電極の前記搬送経路における断線位置を算出する位置算出部と、
前記断線位置が前記搬送経路における所定区間内にある場合に、前記加工条件の調整を行う調整部と、
を備えるワイヤ放電加工機。
【請求項２】
請求項１に記載のワイヤ放電加工機であって、
前記所定区間には前記加工対象物が含まれるワイヤ放電加工機。
【請求項３】
請求項１または２に記載のワイヤ放電加工機であって、
前記搬送経路において前記加工対象物よりも上流側に設けられて前記ワイヤ電極を支持する上ワイヤガイド部と、
前記搬送経路において前記加工対象物よりも下流側に設けられて前記ワイヤ電極を支持する下ワイヤガイド部と、
を更に備え、
前記所定区間は、前記上ワイヤガイド部と前記下ワイヤガイド部との間における区間であるワイヤ放電加工機。
【請求項４】
請求項１〜３のいずれか１項に記載のワイヤ放電加工機であって、
前記ワイヤ電極を前記搬送経路に沿って搬送するとともに、前記ワイヤ電極が断線した場合に前記搬送経路において上流側の前記ワイヤ電極を搬送方向とは反対の方向に巻き戻す搬送装置と、
前記加工対象物の上流側に設けられ前記ワイヤ電極の先端を検出する先端検出部と、
を更に備え、
前記位置算出部は、
断線時において、前記搬送装置による上流側の前記ワイヤ電極の巻き戻しの開始時点から、前記先端検出部により前記ワイヤ電極の先端が検出される時点まで巻き戻された上流側の前記ワイヤ電極の長さを算出することで前記ワイヤ電極の前記断線位置を算出する
ワイヤ放電加工機。
【請求項５】
請求項１〜４のいずれか１項に記載のワイヤ放電加工機であって、
前記加工条件には、電圧パルスの休止時間とサーボ電圧と前記加工対象物の送り速度の少なくとも一つが含まれ、
前記調整部は、前記断線位置が前記所定区間内にある場合に、前記断線が発生する前に比べ、前記電圧パルスの休止時間を延長する処理と前記サーボ電圧を上昇させる処理と前記加工対象物の送り速度を低下させる処理のうちの少なくとも一つを実行するワイヤ放電加工機。
【請求項６】
ワイヤ電極を搬送経路に沿って搬送するとともに、予め定められた加工条件で、前記ワイヤ電極と加工対象物との間に形成される極間に電圧を印加し放電を発生させて前記加工対象物に放電加工を行うワイヤ放電加工機により実行される加工条件調整方法であって、
前記ワイヤ電極の断線を検出する断線検出ステップと、
前記ワイヤ電極の前記搬送経路における断線位置を算出する位置算出ステップと、
前記断線位置が前記搬送経路における所定区間内にある場合に、前記加工条件の調整を行う調整ステップと、
を含む加工条件調整方法。
【請求項７】
請求項６に記載の加工条件調整方法であって、
前記所定区間には前記加工対象物が含まれる加工条件調整方法。
【請求項８】
請求項６または７に記載の加工条件調整方法であって、
前記ワイヤ放電加工機は、
前記搬送経路において前記加工対象物よりも上流側に設けられて前記ワイヤ電極を支持する上ワイヤガイド部と、
前記搬送経路において前記加工対象物よりも下流側に設けられて前記ワイヤ電極を支持する下ワイヤガイド部と、
を更に備え、
前記所定区間は、前記上ワイヤガイド部と前記下ワイヤガイド部との間における区間である加工条件調整方法。
【請求項９】
請求項６〜８のいずれか１項に記載の加工条件調整方法であって、
前記ワイヤ電極を前記搬送経路に沿って搬送するとともに、前記ワイヤ電極が断線した場合に前記搬送経路において上流側の前記ワイヤ電極を搬送方向とは反対の方向に巻き戻す搬送ステップと、
前記加工対象物の上流側において前記ワイヤ電極の先端を検出する先端検出ステップと、
を更に含み、
前記位置算出ステップは、
断線時において、前記搬送ステップによる上流側の前記ワイヤ電極の巻き戻しの開始時点から、前記先端検出ステップにより前記ワイヤ電極の先端が検出される時点まで巻き戻された上流側の前記ワイヤ電極の長さを算出することで前記ワイヤ電極の前記断線位置を算出する
加工条件調整方法。
【請求項１０】
請求項６〜９のいずれか１項に記載の加工条件調整方法であって、
前記加工条件には、電圧パルスの休止時間とサーボ電圧と前記加工対象物の送り速度の少なくとも一つが含まれ、
前記調整ステップは、前記断線位置が前記所定区間内にある場合に、前記断線が発生する前に比べ、前記電圧パルスの休止時間を延長する処理と前記サーボ電圧を上昇させる処理と前記加工対象物の送り速度を低下させる処理のうちの少なくとも一つを実行する加工条件調整方法。
【手続補正書】
【提出日】令和1年11月25日(2019.11.25)
【手続補正１】
【補正対象書類名】明細書
【補正対象項目名】発明の名称
【補正方法】変更
【補正の内容】
【発明の名称】レーザ加工装置
【手続補正２】
【補正対象書類名】明細書
【補正対象項目名】０００１
【補正方法】変更
【補正の内容】
【０００１】
本発明は、レーザ加工装置に関する。
【手続補正３】
【補正対象書類名】明細書
【補正対象項目名】０００６
【補正方法】変更
【補正の内容】
【０００６】
そこで、本発明が解決しようとする課題は、鉄系の厚板材を、より低コストで切断できるレーザ加工装置を提供することにある。
【手続補正４】
【補正対象書類名】明細書
【補正対象項目名】０００７
【補正方法】変更
【補正の内容】
【０００７】
上記の課題を解決するために、本発明は次の構成を有する。
１）  レーザ光が射出しアシストガスが噴出するノズル開口部を有するノズルと、
板材のワークにおいて切断対象となる複数の板厚毎に、最少のアシストガス消費量で切断性を良とする前記ノズル開口部の開口径を対応づけしたノズル選択テーブルが格納された記憶部と、
前記記憶部に格納された前記ノズル選択テーブルを参照して、次に切断するワークの板厚に対応づけされた最少のアシストガス消費量で切断性を良とする開口径の前記ノズル開口部を有するノズルを選択するノズル選択部と、
を備えたことを特徴とするレーザ加工装置である。
２）  前記ノズルは、アウタノズル部及びインナノズル部を有するダブルノズルであり、
前記ノズル開口部は、前記アウタノズル部の開口部であることを特徴とする１）に記載のレーザ加工装置である。
３）  前記インナノズル部の先端部は、前記アウタノズル部の先端部に対し、前記ノズルの軸線に沿って１ｍｍ以上かつ５．５ｍｍ以下の距離で奥側に位置していることを特徴とする２）に記載のレーザ加工装置である。
４）  前記ノズルは、前記アウタノズル部と前記インナノズル部との間に、前記アシストガスの一部が流れる横断面形状が環状のアウタ流路が形成されていることを特徴とする２）又は３）に記載のレーザ加工装置。
５）  前記ノズルが先端に取り付けられ前記アシストガスが外部から供給される加工ヘッドと、
前記アシストガスを前記加工ヘッドに供給するアシストガス供給装置と、
備え、
前記アシストガス供給装置は、前記アシストガスのガス圧を前記加工ヘッドの内部の圧力として制御することを特徴とする１）〜４）のいずれか一つに記載のレーザ加工装置である。
６）  前記ノズル選択テーブルにおいて前記板厚毎に対応づけされた前記開口径は、前記アシストガスの前記ガス圧が０．４〜０．６ＭＰａの範囲で切断性を良とする開口径であることを特徴とする５）に記載のレーザ加工装置である。
【手続補正５】
【補正対象書類名】特許請求の範囲
【補正対象項目名】全文
【補正方法】変更
【補正の内容】
【特許請求の範囲】
【請求項１】
レーザ光が射出しアシストガスが噴出するノズル開口部を有するノズルと、
板材のワークにおいて切断対象となる複数の板厚毎に、最少のアシストガス消費量で切断性を良とする前記ノズル開口部の開口径を対応づけしたノズル選択テーブルが格納された記憶部と、
前記記憶部に格納された前記ノズル選択テーブルを参照して、次に切断するワークの板厚に対応づけされた最少のアシストガス消費量で切断性を良とする開口径の前記ノズル開口部を有するノズルを選択するノズル選択部と、
を備えたことを特徴とするレーザ加工装置。
【請求項２】
前記ノズルは、アウタノズル部及びインナノズル部を有するダブルノズルであり、
前記ノズル開口部は、前記アウタノズル部の開口部であることを特徴とする請求項１記載のレーザ加工装置。
【請求項３】
前記インナノズル部の先端部は、前記アウタノズル部の先端部に対し、前記ノズルの軸線に沿って１ｍｍ以上かつ５．５ｍｍ以下の距離で奥側に位置していることを特徴とする請求項２記載のレーザ加工装置。
【請求項４】
前記ノズルは、前記アウタノズル部と前記インナノズル部との間に、前記アシストガスの一部が流れる横断面形状が環状のアウタ流路が形成されていることを特徴とする請求項２又は請求項３記載のレーザ加工装置。
【請求項５】
前記ノズルが先端に取り付けられ前記アシストガスが外部から供給される加工ヘッドと、
前記アシストガスを前記加工ヘッドに供給するアシストガス供給装置と、
備え、
前記アシストガス供給装置は、前記アシストガスのガス圧を前記加工ヘッドの内部の圧力として制御することを特徴とする請求項１〜４のいずれか１項に記載のレーザ加工装置。
【請求項６】
前記ノズル選択テーブルにおいて前記板厚毎に対応づけされた前記開口径は、前記アシストガスの前記ガス圧が０．４〜０．６ＭＰａの範囲で切断性を良とする開口径であることを特徴とする請求項５記載のレーザ加工装置。
【手続補正書】
【提出日】令和2年5月15日(2020.5.15)
【手続補正１】
【補正対象書類名】特許請求の範囲
【補正対象項目名】全文
【補正方法】変更
【補正の内容】
【特許請求の範囲】
【請求項１】
遊技領域に向けて遊技球を発射する発射手段と、
遊技球が通過可能な経路である第１の経路と、
遊技球が通過可能な経路である第２の経路と、
到達した遊技球を前記第１の経路または前記第２の経路のいずれかに振り分ける振分手段と、
遊技球が入球可能な第１入球手段と、
遊技球が入球可能な第２入球手段と、
前記第２入球手段への遊技球の入球が不可能または困難な状態である入球不可状態と、前記第２入球手段への遊技球の入球が可能または容易な状態である入球可能状態との間で遷移する状態遷移手段と、
を備える遊技機であって、
前記振分手段は、
到達した遊技球を前記第１の経路に振り分ける第１の状態と、
到達した遊技球を前記第２の経路に振り分ける第２の状態と、
になることが可能であり、
初期状態で前記第１の状態であるときに、前記振分手段は、到達した遊技球を前記第１の経路に振り分け、当該到達した遊技球から力学的作用を一度受けることによって、前記第１の状態と前記第２の状態との間を複数回交互に遷移することが可能であって、前記第１の状態から前記第２の状態へ少なくとも２回遷移し、
前記第１の経路は、前記振分手段によって振り分けられた遊技球が前記第１入球手段に入球することが可能であるように構成され、
前記第２の経路は、前記振分手段によって振り分けられた遊技球が前記第２入球手段に入球することが可能であるように構成され、
前記第１の経路および前記第２の経路は、前記振分手段によって振り分けられた遊技球が、前記状態遷移手段が前記入球可能状態である場合には前記第２入球手段に入球することが可能であるように構成されている
ことを特徴とする遊技機。
【手続補正２】
【補正対象書類名】明細書
【補正対象項目名】０００６
【補正方法】変更
【補正の内容】
【０００６】
［形態］
遊技領域に向けて遊技球を発射する発射手段と、
遊技球が通過可能な経路である第１の経路と、
遊技球が通過可能な経路である第２の経路と、
到達した遊技球を前記第１の経路または前記第２の経路のいずれかに振り分ける振分手段と、
遊技球が入球可能な第１入球手段と、
遊技球が入球可能な第２入球手段と、
前記第２入球手段への遊技球の入球が不可能または困難な状態である入球不可状態と、前記第２入球手段への遊技球の入球が可能または容易な状態である入球可能状態との間で遷移する状態遷移手段と、
を備える遊技機であって、
前記振分手段は、
到達した遊技球を前記第１の経路に振り分ける第１の状態と、
到達した遊技球を前記第２の経路に振り分ける第２の状態と、
になることが可能であり、
初期状態で前記第１の状態であるときに、前記振分手段は、到達した遊技球を前記第１の経路に振り分け、当該到達した遊技球から力学的作用を一度受けることによって、前記第１の状態と前記第２の状態との間を複数回交互に遷移することが可能であって、前記第１の状態から前記第２の状態へ少なくとも２回遷移し、
前記第１の経路は、前記振分手段によって振り分けられた遊技球が前記第１入球手段に入球することが可能であるように構成され、
前記第２の経路は、前記振分手段によって振り分けられた遊技球が前記第２入球手段に入球することが可能であるように構成され、
前記第１の経路および前記第２の経路は、前記振分手段によって振り分けられた遊技球が、前記状態遷移手段が前記入球可能状態である場合には前記第２入球手段に入球することが可能であるように構成されている
ことを特徴とする遊技機。
【手続補正書】
【提出日】令和2年1月17日(2020.1.17)
【手続補正１】
【補正対象書類名】特許請求の範囲
【補正対象項目名】全文
【補正方法】変更
【補正の内容】
【特許請求の範囲】
【請求項１】
プレイヤにより操作されるプレイヤ端末を備えるシステムであって、
システムが、
プレイヤ端末からの要求に応じて、所定の対価の消費と引き換えに、複数の媒体の中から１以上の媒体を抽選する第１の抽選を実行する第１抽選手段と、
第１の抽選により抽選された媒体を、プレイヤと関連付ける関連付け手段と、
プレイヤ端末からの要求に応じて、所定の対価を消費させずに、複数の媒体の中から１以上の媒体を抽選する第２の抽選を実行する第２抽選手段と、
抽選により関連付け可能な複数の媒体が記憶されているテーブルを記憶するテーブル記憶手段と
を備え、
第１抽選手段及び第２抽選手段は、共通の前記テーブルを参照して抽選を実行する、システム。
【請求項２】
プレイヤ端末が、
実行された抽選の抽選結果に関する情報を受信し、
抽選が実行されたことに基づいて表示される表示画面において、第１の抽選または第２の抽選を実行するための操作入力を受付可能である、
請求項１に記載のシステム。
【請求項３】
システムが、さらに、
第２の抽選が実行された場合に、プレイヤに所定の特典を付与する特典付与手段
を備える、請求項１または２に記載のシステム。
【請求項４】
前記特典付与手段が、所定の条件を満たす媒体が第２の抽選により抽選された場合、または第２の抽選の実行回数が所定の回数に到達した場合に、所定の特典を付与する、
請求項３に記載のシステム。
【請求項５】
システムが、さらに、
第２の抽選による抽選結果の履歴に関する情報を記憶する履歴記憶手段
を備え、
プレイヤ端末が、
第２の抽選による抽選結果の履歴を表示可能である、
請求項１〜４のいずれかに記載のシステム。
【請求項６】
システムが、さらに、
第１の抽選による抽選結果または第２の抽選による抽選結果をプレイヤ端末にて表示する際の演出に関する情報をプレイヤ端末へ送信する送信手段
を備え、
プレイヤ端末が、
プレイヤによる操作入力に応じて、既に表示したことのある前記演出を再現して表示可能である、請求項１〜５のいずれかに記載のシステム。
【請求項７】
プレイヤにより操作されるプレイヤ端末を備えるシステムにおいて実行される制御方法であって、
プレイヤ端末からの要求に応じて、所定の対価の消費と引き換えに、複数の媒体の中から１以上の媒体を抽選する第１の抽選を実行し、
第１の抽選により抽選された媒体を、プレイヤと関連付け、
プレイヤ端末からの要求に応じて、所定の対価を消費させずに、複数の媒体の中から１以上の媒体を抽選する第２の抽選を実行し、
第１の抽選及び第２の抽選は、抽選により関連付け可能な複数の媒体が記憶された共通のテーブルを参照して抽選を実行する、制御方法。
【手続補正書】
【提出日】令和2年6月4日(2020.6.4)
【手続補正１】
【補正対象書類名】特許請求の範囲
【補正対象項目名】全文
【補正方法】変更
【補正の内容】
【特許請求の範囲】
【請求項１】
前面側を遊技球が流下可能な遊技盤と、前記遊技盤に設けられ、遊技球が入球可能な入賞口を有する入球ユニットとを備えた遊技機において、
前記入賞口は、開放状態と閉鎖状態とに切り替わる開閉部材によって開閉され、
前記入球ユニットの前側にはカバー部が設けられ、
前記カバー部の盤面側には前記遊技球の流通を案内する流通案内手段が設けられ、
前記流通案内手段として、遊技球の流路を分岐させる非可動の固定部材として設けられ前記入賞口へと向かうように遊技球を転動させる傾斜面を有する分岐部を備え、該分岐部によって、前記入賞口に流通可能な第１流路と前記入賞口に流通しない第２流路とに遊技球が分岐されるようになっており、
前記カバー部の盤面側には遊技釘が設けられておらず、前記流通案内手段によってのみ遊技球の流通が案内されるようになっており、
前記分岐部の前記傾斜面に到達した遊技球が該傾斜面を前記入賞口へと向かうように転動したとき、前記開閉部材が閉鎖状態にある場合には必ず該開閉部材によって前記入賞口へ受け入れられず、前記開閉部材が開放状態にある場合には必ず前記入賞口へと案内され、
前記分岐部は、「遊技球１個のみが流下可能な幅で前記分岐部の上流側に設けられ前記遊技盤の略中央部に配置されたセンター役物の右側において遊技球を流下させる球流路」を流下してきた遊技球を前記第１流路または前記第２流路に分岐させる
ことを特徴とする遊技機。
【手続補正２】
【補正対象書類名】明細書
【補正対象項目名】０００７
【補正方法】変更
【補正の内容】
【０００７】
本願発明は、前面側を遊技球が流下可能な遊技盤と、前記遊技盤に設けられ、遊技球が入球可能な入賞口を有する入球ユニットとを備えた遊技機において、
前記入賞口は、開放状態と閉鎖状態とに切り替わる開閉部材によって開閉され、
前記入球ユニットの前側にはカバー部が設けられ、
前記カバー部の盤面側には前記遊技球の流通を案内する流通案内手段が設けられ、
前記流通案内手段として、遊技球の流路を分岐させる非可動の固定部材として設けられ前記入賞口へと向かうように遊技球を転動させる傾斜面を有する分岐部を備え、該分岐部によって、前記入賞口に流通可能な第１流路と前記入賞口に流通しない第２流路とに遊技球が分岐されるようになっており、
前記カバー部の盤面側には遊技釘が設けられておらず、前記流通案内手段によってのみ遊技球の流通が案内されるようになっており、
前記分岐部の前記傾斜面に到達した遊技球が該傾斜面を前記入賞口へと向かうように転動したとき、前記開閉部材が閉鎖状態にある場合には必ず該開閉部材によって前記入賞口へ受け入れられず、前記開閉部材が開放状態にある場合には必ず前記入賞口へと案内され、
前記分岐部は、「遊技球１個のみが流下可能な幅で前記分岐部の上流側に設けられ前記遊技盤の略中央部に配置されたセンター役物の右側において遊技球を流下させる球流路」を流下してきた遊技球を前記第１流路または前記第２流路に分岐させる
ことを特徴とする。
【手続補正書】
【提出日】令和2年2月25日(2020.2.25)
【手続補正１】
【補正対象書類名】特許請求の範囲
【補正対象項目名】全文
【補正方法】変更
【補正の内容】
【特許請求の範囲】
【請求項１】
始動条件が成立すると、識別情報の変動表示に関する変動表示コマンドデータを送信する遊技情報送信手段と、
前記識別情報の変動結果として、遊技者に対して有利な遊技状態である特定遊技状態が選択され、前記特定遊技状態中に遊技領域に設けられた特定の領域を遊技球が通過したことを検知する通過検知手段と、
前記遊技情報送信手段から送信された前記変動表示コマンドデータに対応する演出開始要求を出力する演出制御手段と、
前記演出開始要求に基づいて所定の表示出力データを出力する表示制御手段と、
前記表示制御手段が出力した前記表示出力データに基づいて表示画面に表示を出力する表示手段と、を備え、
前記演出制御手段は、
前記変動表示コマンドデータを含む複数のコマンドデータのうちの受信したコマンドデータに対応する前記演出開始要求を生成するための処理情報を生成する処理情報生成手段と、
前記処理情報生成手段により生成された前記処理情報に基づいて前記演出開始要求を生成する演出開始要求生成手段と、を有し、
前記処理情報生成手段は、前記特定遊技状態中に遊技球が前記特定の領域を通過した旨を示す特定領域通過コマンドデータを受信した場合に第１の処理情報を生成し、前記特定領域通過コマンドデータの受信と関わりなく第２の処理情報を生成し、
前記演出開始要求生成手段は、前記特定遊技状態中に前記第１の処理情報と前記第２の処理情報との少なくとも一方の処理情報に基づいて前記演出開始要求を生成するよう構成される
ことを特徴とする遊技機。
【手続補正２】
【補正対象書類名】明細書
【補正対象項目名】０００５
【補正方法】変更
【補正の内容】
【０００５】
ところで、演出装置を制御するためのプログラムやデータの量を抑制し、且つ、遊技の状況に応じてより多彩な演出を演出装置によって行うことが求められている。
【手続補正３】
【補正対象書類名】明細書
【補正対象項目名】０００６
【補正方法】変更
【補正の内容】
【０００６】
本発明は上記課題を解決するためになされたものであり、本発明の目的は、演出装置を制御するためのプログラムやデータの量を抑制し、且つ、遊技の状況に応じてより多彩な演出を演出装置によって行うことが可能な遊技機を提供することである。
【手続補正４】
【補正対象書類名】明細書
【補正対象項目名】０００８
【補正方法】変更
【補正の内容】
【０００８】
始動条件が成立すると、識別情報の変動表示に関する変動表示コマンドデータを送信する遊技情報送信手段（例えば、後述の主制御回路７０）と、
前記識別情報の変動結果として、遊技者に対して有利な遊技状態である特定遊技状態（例えば、後述の大当り遊技状態）が選択され、前記特定遊技状態中に遊技領域に設けられた特定の領域（例えば、後述のＶ入賞口３５６）を遊技球が通過したことを検知する通過検知手段（例えば、後述のＶ入賞検出センサ３５９）と、
前記遊技情報送信手段から送信された前記変動表示コマンドデータに対応する演出開始要求（例えば、後述のアニメーションリクエストに基づく各種リクエスト）を出力する演出制御手段（例えば、後述のホスト制御回路２１０）と、
前記演出開始要求に基づいて所定の表示出力データを出力する表示制御手段（例えば、後述の表示制御回路２３０）と、
前記表示制御手段が出力した前記表示出力データに基づいて表示画面に表示を出力する表示手段（例えば、後述の表示装置１３）と、を備え、
前記演出制御手段は、
前記変動表示コマンドデータを含む複数のコマンドデータのうちの受信したコマンドデータに対応する前記演出開始要求を生成するための処理情報を生成する処理情報生成手段（例えば、後述の図１２９に示すオブジェクト生成処理）と、
前記処理情報生成手段により生成された前記処理情報に基づいて前記演出開始要求を生成する演出開始要求生成手段（例えば、後述の図１３２及び図１３３に示すオブジェクトによるアニメーションリクエスト生成処理）と、を有し、
前記処理情報生成手段は、前記特定遊技状態中に遊技球が前記特定の領域を通過した旨を示す特定領域通過コマンドデータ（例えば、後述のＶ入賞コマンド）を受信した場合に第１の処理情報（例えば、後述のＶ入賞時の演出オブジェクト）を生成し、前記特定領域通過コマンドデータの受信と関わりなく第２の処理情報（例えば、後述の大当り用の常駐型のオブジェクト）を生成し、
前記演出開始要求生成手段は、前記特定遊技状態中に前記第１の処理情報と前記第２の処理情報との少なくとも一方の処理情報に基づいて前記演出開始要求を生成するよう構成される
ことを特徴とする遊技機。
【手続補正５】
【補正対象書類名】明細書
【補正対象項目名】０００９
【補正方法】変更
【補正の内容】
【０００９】
上記構成の本発明の遊技機によれば、演出装置を制御するためのプログラムやデータの量を抑制し、且つ、遊技の状況に応じてより多彩な演出を演出装置によって行うことができる。